(57)【要約】      （修正有）【課題】テーブル本体に飲料缶を収納するカップホルダを差込嵌脱自在に設けると共にカップホルダは二つ折りに折り畳んだ状態の上記テーブル本体内に弾性係止部により固定収納する様にして飲料缶を誤って倒伏させてしまうことを防ぐことができる折り畳みテーブルを提供する。【解決手段】二つ折りに折り畳み可能なテーブル本体１、該テーブル本体に差込嵌脱自在な四個の脚体２からなり、該テーブル本体を二つ折りに折り畳んだ状態においては、該四個の脚体がテーブル本体内に収納されて該テーブル本体は手提げ部分１ｄをもつトランク状となるように構成する。さらに、上記テーブル本体に飲料缶を収納するカップホルダ３を差込嵌脱自在に設けると共に該カップホルダは二つ折りに折り畳んだ状態の上記テーブル本体内に弾性係止部により固定収納し、上記弾性係止部として、上記テーブル本体の裏面に上記カップホルダの底面に形成された底穴が圧入係止される筒状部を形成する。【選択図】図１
0003172170.tif 000002
【実用新案登録請求の範囲】
【請求項１】
二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体に飲料缶を収納するカップホルダを差込嵌脱自在に設けると共に該カップホルダは二つ折りに折り畳んだ状態の上記テーブル本体内に弾性係止部により固定収納されることを特徴とする折り畳みテーブル。
【請求項２】
上記弾性係止部として、上記テーブル本体の裏面に上記カップホルダの底面に形成された底穴が圧入係止される筒状部を形成してなることを特徴とする請求項１記載の折り畳みテーブル。
【請求項３】
上記脚体に抜穴部を形成すると共に上記テーブル本体の裏面に上記脚体の抜穴部に圧入係止される圧入保持部を形成してなることを特徴とする請求項１又は２記載の折り畳みテーブル。
【請求項４】
上記テーブル本体に嵌脱穴部を形成すると共に上記カップホルダは飲料缶を収納する収納凹部及び該嵌脱穴部に差込嵌脱する差込板部からなることを特徴とする請求項１〜３のいずれか１記載の折り畳みテーブル。
【考案の詳細な説明】
【技術分野】
【０００１】
本考案は、例えば、屋内で絵画の教育を行う際のテーブルとしたり、屋外に携行してハイキング用、レジャー用等のテーブルとして用いられる折り畳みテーブルに関するものである。
【背景技術】
【０００２】
従来、この種の折り畳みテーブルとして、二つ折りに折り畳み可能なテーブル本体と、テーブル本体に差込嵌脱自在な四個の脚体からなり、テーブル本体を折り畳んだ状態においては、四個の脚体がテーブル本体内に収納されて手提げ部分をもつトランク状となる構造のものが知られている。
【先行技術文献】
【特許文献】
【０００３】
【特許文献１】実開昭４９−５９９０６号公報
【特許文献２】特開２００２−２２３８６２
【特許文献３】意匠登録第９１０２７１号
【考案の概要】
【考案が解決しようとする課題】
【０００４】
しかしながらこれら従来構造の場合、ハイキング等での食事や団欒時においては、ジュースやビール等の飲料缶をテーブル本体上に載置して飲用することになり、このため、誤って、飲料缶を倒伏して衣服やテーブルを汚してしまったり、テーブル本体上面の使用スペースの減少を生じさせることになり、それだけ、使用の快適性を低下させることがあるという不都合を有している。
【課題を解決するための手段】
【０００５】
本考案はこれらの不都合を解決することを目的とするもので、本考案のうちで、請求項１記載の考案は、二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体に飲料缶を収納するカップホルダを差込嵌脱自在に設けると共に該カップホルダは二つ折りに折り畳んだ状態の上記テーブル本体内に弾性係止部により固定収納されることを特徴とする折り畳みテーブルにある。
【０００６】
又、請求項２記載の考案は、上記弾性係止部として、上記テーブル本体の裏面に上記カップホルダの底面に形成された底穴が圧入係止される筒状部を形成してなることを特徴とするものであり、又、請求項３記載の考案は、上記脚体に抜穴部を形成すると共に上記テーブル本体の裏面に上記脚体の抜穴部に圧入係止される圧入保持部を形成してなることを特徴とするものであり、又、請求項４記載の考案は、上記テーブル本体に嵌脱穴部を形成すると共に上記カップホルダは飲料缶を収納する収納凹部及び該嵌脱穴部に差込嵌脱する差込板部からなることを特徴とするものである。
【考案の効果】
【０００７】
本考案は上述の如く、請求項１記載の考案にあっては、テーブル本体に四個の脚体を差込嵌脱して使用することができ、屋内で絵画の教育を行う際等のテーブルとして用いることができると共にテーブル本体を二つ折りに折り畳むことができ、テーブル本体を二つ折りに折り畳んだ状態においては、四個の脚体がテーブル本体内に収納され、テーブル本体は手提げ部分をもつトランク状となり、屋外に携行してハイキングやレジャー等のテーブルとして使用する際や保管する際の利便性を向上することができ、かつ、上記テーブル本体に飲料缶を収納するカップホルダを差込嵌脱自在に設けると共にカップホルダは二つ折りに折り畳んだ状態の上記テーブル本体内に弾性係止部により固定収納されるので、ハイキングやレジャー等での食事や団欒時において、ジュースやビール等の飲料缶をカップホルダに収納することができて飲料缶を誤って倒伏させてしまうことを防ぐことができ、衣服やテーブル本体を汚したりすることを防ぐことができ、使用の快適性を向上することができると共に弾性係止部によりカップホルダは二つ折りに折り畳んだ状態の上記テーブル本体内に固定収納され、テーブル本体からの脱落を確実に防ぐことができ、使用の快適性を向上することができる。
【０００８】
又、請求項２記載の考案にあっては、上記弾性係止部として、上記テーブル本体の裏面に上記カップホルダの底面に形成された底穴が圧入係止される筒状部を形成してなるから、構造を簡素化することができ、又、請求項３記載の考案にあっては、上記脚体に抜穴部を形成すると共に上記テーブル本体の裏面に上記脚体の抜穴部に圧入係止される圧入保持部を形成してなるから、脚体を上記テーブル本体の裏面に確実に固定することができ、テーブル本体からの脱落を防ぐことができ、又、請求項４記載の考案にあっては、上記テーブル本体に嵌脱穴部を形成すると共に上記カップホルダは飲料缶を収納する収納凹部及び該嵌脱穴部に差込嵌脱する差込板部からなるので、カップホルダのテーブル本体に対する差込嵌脱を容易に行うことができる。
【図面の簡単な説明】
【０００９】
【図１】本考案の実施の形態例の全体斜視図である。
【図２】本考案の実施の形態例の展開状態の全体裏面図である。
【図３】本考案の実施の形態例の折畳状態の全体斜視図である。
【図４】本考案の実施の形態例の部分拡大平面図である。
【図５】本考案の実施の形態例の部分分解斜視図である。
【図６】本考案の実施の形態例の部分斜視図である。
【図７】本考案の実施の形態例の部分断面図である。
【図８】本考案の実施の形態例の部分断面図である。
【考案を実施するための形態】
【００１０】
図１乃至図８は本考案の実施の形態例を示し、１はテーブル本体であって、二つ折りに折り畳み可能に構成されている。この場合、上記テーブル本体１は、一対のテーブル半体１ａ・１ａをヒンジ部１ｂ・・及び止着部１ｃ・１ｃにより折畳開閉自在に設けられている。
【００１１】
２は脚体であって、この場合、四個の脚体２・２・・からなり、脚体２は上記テーブル本体１に差込嵌脱自在に形成されている。
【００１２】
そして、図３の如く、上記テーブル本体１を二つ折りに折り畳んだ状態においては、四個の脚体２・２・・がテーブル本体１内に収納されてテーブル本体１は手提げ部分１ｄ・１ｄをもつトランク状となるように構成されている。
【００１３】
３はカップホルダであって、図１、図８の如く、ジュースやビール等の飲料缶Ｗを収納自在に形成され、テーブル本体１に差込嵌脱自在に設けられると共にこのカップホルダ３は二つ折りに折り畳んだ状態の上記テーブル本体１内に弾性係止部４により固定収納される。
【００１４】
この場合、上記弾性係止部４として、図７の如く、上記テーブル本体１の裏面に上記カップホルダ３の底面に形成された底穴３ａが圧入係止される筒状部１ｅを形成してなる。
【００１５】
また、この場合、図４、図５の如く、上記脚体２の上部に対向一対の差込部２ａ・２ａからなる二股状部２ｂを形成し、この脚体２に抜穴部２ｃを形成し、上記テーブル本体１の裏面に上記脚体２に形成された抜穴部２ｃに圧入係止される圧入保持部１ｆを形成している。
【００１６】
又、この場合、図２の如く、上記テーブル本体１の四隅部裏面に上記脚体２の対向一対の差込部２ａ・２ａが差込嵌脱自在に圧挿入される一対の挿入凹部１ｇ・１ｇを計四組形成してなり、又、この場合、図８の如く、上記カップホルダ３は、飲料缶Ｗを収納する収納凹部３ｂ・３ｂ及び上記テーブル本体１の嵌脱穴部１ｈに差込嵌脱する差込板部３ｃから構成している。
【００１７】
この実施の形態例は上記構成であるから、図１の如く、テーブル本体１に四個の脚体２・２・・を差込嵌脱して使用することができ、屋内で絵画の教育を行う際等のテーブルとして用いることができると共に、図３の如く、テーブル本体１を二つ折りに折り畳むことができ、テーブル本体１を二つ折りに折り畳んだ状態においては、図６の如く、四個の脚体２・２・・がテーブル本体１内に収納され、テーブル本体１は手提げ部分１ｄ・１ｄをもつトランク状となり、屋外に携行してハイキングやレジャー用等のテーブルとして用いる際や保管する際の利便性を向上することができ、かつ、図２、図６の如く、上記テーブル本体１に飲料缶Ｗを収納するカップホルダ３を差込嵌脱自在に設けると共にカップホルダ３は二つ折りに折り畳んだ状態の上記テーブル本体１内に弾性係止部４により固定収納されるので、ハイキングやレジャー等での食事や団欒時において、ジュースやビール等の飲料缶Ｗをカップホルダ３に収納することができて飲料缶Ｗを誤って倒伏させてしまうことを防ぐことができ、衣服やテーブル本体１を汚したりすることを防ぐことができ、使用の快適性を向上することができると共に弾性係止部４によりカップホルダ３は二つ折りに折り畳んだ状態の上記テーブル本体１内に固定収納され、テーブル本体１からの脱落を確実に防ぐことができ、使用の快適性を向上することができる。
【００１８】
この場合、上記弾性係止部４として、図５、図６の如く、上記テーブル本体１の裏面に上記カップホルダ３の底面に形成された底穴３ａが圧入係止される筒状部１ｅを形成してなるから、構造を簡素化することができ、又、この場合、図５、図６の如く、上記脚体２に抜穴部２ｃを形成すると共に上記テーブル本体１の裏面に上記脚体２の抜穴部２ｃに圧入係止される圧入保持部１ｆを形成してなるから、脚体２を上記テーブル本体１の裏面に確実に固定することができ、テーブル本体１からの脱落を防ぐことができ、この場合、図８の如く、上記テーブル本体１に嵌脱穴部１ｈを形成すると共に上記カップホルダ３は飲料缶Ｗを収納する収納凹部３ｂ及び嵌脱穴部１ｈに差込嵌脱する差込板部３ｃからなるので、カップホルダ３のテーブル本体１に対する差込嵌脱を容易に行うことができる。
【００１９】
尚、本考案は上記実施の形態例のものに限られず、例えば、テーブル本体１、脚体２、カップホルダ３の形態や数、配置位置、構造は適宜変更して設計されるものである。
【００２０】
以上の如く、所期の目的を充分達成することができる。
【符号の説明】
【００２１】
Ｗ    飲料缶
１    テーブル本体
１ｄ    手提げ部分
１ｅ    筒状部
１ｆ    圧入保持部
１ｈ    嵌脱穴部
２    脚体
２ｃ    抜穴部
３    カップホルダ
３ａ    底穴
３ｂ    収納凹部
３ｃ    差込板部
４    弾性係止部
【図１】
0003172170.tif 000003
【図２】
0003172170.tif 000004
【図３】
0003172170.tif 000005
【図４】
0003172170.tif 000006
【図５】
0003172170.tif 000007
【図６】
0003172170.tif 000008
【図７】
0003172170.tif 000009
【図８】
0003172170.tif 000010
【手続補正書】
【提出日】平成23年10月12日(2011.10.12)
【手続補正１】
【補正対象書類名】実用新案登録請求の範囲
【補正対象項目名】全文
【補正方法】変更
【補正の内容】
【実用新案登録請求の範囲】
【請求項１】
二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体に飲料缶を収納するカップホルダを差込嵌脱自在に設けると共に該カップホルダは二つ折りに折り畳んだ状態の上記テーブル本体内に弾性係止部により固定収納されてなり、上記弾性係止部として、上記テーブル本体の裏面に上記カップホルダの底面に形成された底穴が圧入係止される筒状部を形成してなることを特徴とする折り畳みテーブル。
【請求項２】
上記脚体に抜穴部を形成すると共に上記テーブル本体の裏面に上記脚体の抜穴部に圧入係止される圧入保持部を形成してなることを特徴とする請求項１記載の折り畳みテーブル。
【請求項３】
上記テーブル本体に嵌脱穴部を形成すると共に上記カップホルダは飲料缶を収納する収納凹部及び該嵌脱穴部に差込嵌脱する差込板部からなることを特徴とする請求項１又は２記載の折り畳みテーブル。
【手続補正２】
【補正対象書類名】明細書
【補正対象項目名】全文
【補正方法】変更
【補正の内容】
【考案の詳細な説明】
【技術分野】
【０００１】
本考案は、例えば、屋内で絵画の教育を行う際のテーブルとしたり、屋外に携行してハイキング用、レジャー用等のテーブルとして用いられる折り畳みテーブルに関するものである。
【背景技術】
【０００２】
従来、この種の折り畳みテーブルとして、二つ折りに折り畳み可能なテーブル本体と、テーブル本体に差込嵌脱自在な四個の脚体からなり、テーブル本体を折り畳んだ状態においては、四個の脚体がテーブル本体内に収納されて手提げ部分をもつトランク状となる構造のものが知られている。
【先行技術文献】
【特許文献】
【０００３】
【特許文献１】実開昭４９−５９９０６号公報
【特許文献２】特開２００２−２２３８６２
【特許文献３】意匠登録第９１０２７１号
【考案の概要】
【考案が解決しようとする課題】
【０００４】
しかしながらこれら従来構造の場合、ハイキング等での食事や団欒時においては、ジュースやビール等の飲料缶をテーブル本体上に載置して飲用することになり、このため、誤って、飲料缶を倒伏して衣服やテーブルを汚してしまったり、テーブル本体上面の使用スペースの減少を生じさせることになり、それだけ、使用の快適性を低下させることがあるという不都合を有している。
【課題を解決するための手段】
【０００５】
本考案はこれらの不都合を解決することを目的とするもので、本考案のうちで、請求項１記載の考案は、二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体に飲料缶を収納するカップホルダを差込嵌脱自在に設けると共に該カップホルダは二つ折りに折り畳んだ状態の上記テーブル本体内に弾性係止部により固定収納されてなり、上記弾性係止部として、上記テーブル本体の裏面に上記カップホルダの底面に形成された底穴が圧入係止される筒状部を形成してなることを特徴とする折り畳みテーブルにある。
【０００６】
又、請求項２記載の考案は、上記脚体に抜穴部を形成すると共に上記テーブル本体の裏面に上記脚体の抜穴部に圧入係止される圧入保持部を形成してなることを特徴とするものであり、又、請求項３記載の考案は、上記テーブル本体に嵌脱穴部を形成すると共に上記カップホルダは飲料缶を収納する収納凹部及び該嵌脱穴部に差込嵌脱する差込板部からなることを特徴とするものである。
【考案の効果】
【０００７】
本考案は上述の如く、請求項１記載の考案にあっては、テーブル本体に四個の脚体を差込嵌脱して使用することができ、屋内で絵画の教育を行う際等のテーブルとして用いることができると共にテーブル本体を二つ折りに折り畳むことができ、テーブル本体を二つ折りに折り畳んだ状態においては、四個の脚体がテーブル本体内に収納され、テーブル本体は手提げ部分をもつトランク状となり、屋外に携行してハイキングやレジャー等のテーブルとして使用する際や保管する際の利便性を向上することができ、かつ、上記テーブル本体に飲料缶を収納するカップホルダを差込嵌脱自在に設けると共にカップホルダは二つ折りに折り畳んだ状態の上記テーブル本体内に弾性係止部により固定収納されるので、ハイキングやレジャー等での食事や団欒時において、ジュースやビール等の飲料缶をカップホルダに収納することができて飲料缶を誤って倒伏させてしまうことを防ぐことができ、衣服やテーブル本体を汚したりすることを防ぐことができ、使用の快適性を向上することができると共に弾性係止部によりカップホルダは二つ折りに折り畳んだ状態の上記テーブル本体内に固定収納され、テーブル本体からの脱落を確実に防ぐことができ、使用の快適性を向上することができ、上記弾性係止部として、上記テーブル本体の裏面に上記カップホルダの底面に形成された底穴が圧入係止される筒状部を形成してなるから、構造を簡素化することができる。
【０００８】
又、請求項２記載の考案にあっては、上記脚体に抜穴部を形成すると共に上記テーブル本体の裏面に上記脚体の抜穴部に圧入係止される圧入保持部を形成してなるから、脚体を上記テーブル本体の裏面に確実に固定することができ、テーブル本体からの脱落を防ぐことができ、又、請求項３記載の考案にあっては、上記テーブル本体に嵌脱穴部を形成すると共に上記カップホルダは飲料缶を収納する収納凹部及び該嵌脱穴部に差込嵌脱する差込板部からなるので、カップホルダのテーブル本体に対する差込嵌脱を容易に行うことができる。
【図面の簡単な説明】
【０００９】
【図１】本考案の実施の形態例の全体斜視図である。
【図２】本考案の実施の形態例の展開状態の全体裏面図である。
【図３】本考案の実施の形態例の折畳状態の全体斜視図である。
【図４】本考案の実施の形態例の部分拡大平面図である。
【図５】本考案の実施の形態例の部分分解斜視図である。
【図６】本考案の実施の形態例の部分斜視図である。
【図７】本考案の実施の形態例の部分断面図である。
【図８】本考案の実施の形態例の部分断面図である。
【考案を実施するための形態】
【００１０】
図１乃至図８は本考案の実施の形態例を示し、１はテーブル本体であって、二つ折りに折り畳み可能に構成されている。この場合、上記テーブル本体１は、一対のテーブル半体１ａ・１ａをヒンジ部１ｂ・・及び止着部１ｃ・１ｃにより折畳開閉自在に設けられている。
【００１１】
２は脚体であって、この場合、四個の脚体２・２・・からなり、脚体２は上記テーブル本体１に差込嵌脱自在に形成されている。
【００１２】
そして、図３の如く、上記テーブル本体１を二つ折りに折り畳んだ状態においては、四個の脚体２・２・・がテーブル本体１内に収納されてテーブル本体１は手提げ部分１ｄ・１ｄをもつトランク状となるように構成されている。
【００１３】
３はカップホルダであって、図１、図８の如く、ジュースやビール等の飲料缶Ｗを収納自在に形成され、テーブル本体１に差込嵌脱自在に設けられると共にこのカップホルダ３は二つ折りに折り畳んだ状態の上記テーブル本体１内に弾性係止部４により固定収納される。
【００１４】
この場合、上記弾性係止部４として、図７の如く、上記テーブル本体１の裏面に上記カップホルダ３の底面に形成された底穴３ａが圧入係止される筒状部１ｅを形成してなる。
【００１５】
また、この場合、図４、図５の如く、上記脚体２の上部に対向一対の差込部２ａ・２ａからなる二股状部２ｂを形成し、この脚体２に抜穴部２ｃを形成し、上記テーブル本体１の裏面に上記脚体２に形成された抜穴部２ｃに圧入係止される圧入保持部１ｆを形成している。
【００１６】
又、この場合、図２の如く、上記テーブル本体１の四隅部裏面に上記脚体２の対向一対の差込部２ａ・２ａが差込嵌脱自在に圧挿入される一対の挿入凹部１ｇ・１ｇを計四組形成してなり、又、この場合、図８の如く、上記カップホルダ３は、飲料缶Ｗを収納する収納凹部３ｂ・３ｂ及び上記テーブル本体１の嵌脱穴部１ｈに差込嵌脱する差込板部３ｃから構成している。
【００１７】
この実施の形態例は上記構成であるから、図１の如く、テーブル本体１に四個の脚体２・２・・を差込嵌脱して使用することができ、屋内で絵画の教育を行う際等のテーブルとして用いることができると共に、図３の如く、テーブル本体１を二つ折りに折り畳むことができ、テーブル本体１を二つ折りに折り畳んだ状態においては、図６の如く、四個の脚体２・２・・がテーブル本体１内に収納され、テーブル本体１は手提げ部分１ｄ・１ｄをもつトランク状となり、屋外に携行してハイキングやレジャー用等のテーブルとして用いる際や保管する際の利便性を向上することができ、かつ、図２、図６の如く、上記テーブル本体１に飲料缶Ｗを収納するカップホルダ３を差込嵌脱自在に設けると共にカップホルダ３は二つ折りに折り畳んだ状態の上記テーブル本体１内に弾性係止部４により固定収納されるので、ハイキングやレジャー等での食事や団欒時において、ジュースやビール等の飲料缶Ｗをカップホルダ３に収納することができて飲料缶Ｗを誤って倒伏させてしまうことを防ぐことができ、衣服やテーブル本体１を汚したりすることを防ぐことができ、使用の快適性を向上することができると共に弾性係止部４によりカップホルダ３は二つ折りに折り畳んだ状態の上記テーブル本体１内に固定収納され、テーブル本体１からの脱落を確実に防ぐことができ、使用の快適性を向上することができ、上記弾性係止部４として、図５、図６の如く、上記テーブル本体１の裏面に上記カップホルダ３の底面に形成された底穴３ａが圧入係止される筒状部１ｅを形成してなるから、構造を簡素化することができる。
【００１８】
この場合、図５、図６の如く、上記脚体２に抜穴部２ｃを形成すると共に上記テーブル本体１の裏面に上記脚体２の抜穴部２ｃに圧入係止される圧入保持部１ｆを形成してなるから、脚体２を上記テーブル本体１の裏面に確実に固定することができ、テーブル本体１からの脱落を防ぐことができ、この場合、図８の如く、上記テーブル本体１に嵌脱穴部１ｈを形成すると共に上記カップホルダ３は飲料缶Ｗを収納する収納凹部３ｂ及び嵌脱穴部１ｈに差込嵌脱する差込板部３ｃからなるので、カップホルダ３のテーブル本体１に対する差込嵌脱を容易に行うことができる。
【００１９】
尚、本考案は上記実施の形態例のものに限られず、例えば、テーブル本体１、脚体２、カップホルダ３の形態や数、配置位置、構造は適宜変更して設計されるものである。
【００２０】
以上の如く、所期の目的を充分達成することができる。
【符号の説明】
【００２１】
Ｗ    飲料缶
１    テーブル本体
１ｄ    手提げ部分
１ｅ    筒状部
１ｆ    圧入保持部
１ｈ    嵌脱穴部
２    脚体
２ｃ    抜穴部
３    カップホルダ
３ａ    底穴
３ｂ    収納凹部
３ｃ    差込板部
４    弾性係止部